(57)【要約】【課題】手動で高さを調整可能な天板と、天板の高さに連動する放射線源とを備え、天板の高さが操作者の身長に応じた所定の高さになった場合に、その連動を解除することを特徴とする臥位放射線撮影装置を提供する。【解決手段】被写体に向けて放射線を照射する放射線源１２と、手動で高さの調整が可能である天板１４と、天板１４の高さを検出する天板高さ検出部１６と、天板高さに連動して放射線源１２を移動させる線源移動機構１３と、天板１４に設置され、一体として移動する放射線検出器２０と、撮影情報及び撮影指示を入力する操作入力部２６と、放射線源１２と放射線検出器２０とを制御して放射線撮影を行う撮影制御部３４と、放射線源１２の連動を解除するか否かを判定し、連動解除の指示を出力する連動判定部３８と、線源移動機構１３を制御し、連動解除の指示に基づいて、放射線源の連動を解除する線源連動制御部４０とを備える。【選択図】図１
2013017687.tif 000002
【特許請求の範囲】
【請求項１】
被写体に向けて放射線を照射する放射線源と、
手動で高さの調整が可能であって、前記被写体を横たえるための天板と、
前記天板の高さを検出する天板高さ検出部と、
前記天板高さに連動して前記放射線源を移動させる線源移動機構と、
前記天板と一体として移動する放射線検出器と、
撮影情報及び撮影指示を入力する操作入力部と、
前記撮影指示に基づいて、前記放射線源と前記放射線検出器とを制御して放射線撮影を行う撮影制御部と、
前記放射線源の連動を解除するか否かを判定し、連動解除の指示を出力する連動判定部と、
前記線源移動機構を制御し、前記連動解除の指示に基づいて、前記放射線源の連動を解除する線源連動制御部と
を備え、
前記連動判定部は、前記撮像情報と、前記天板高さとに基づいて前記連動解除の判定を行うことを特徴とする臥位放射線撮影装置。
【請求項２】
前記撮像情報は、放射線源と放射線検出器との間の距離（ＳＩＤ）を含み、
前記線源移動機構は、前記ＳＩＤを保つように前記放射線源を連動させることを特徴とする請求項１に記載の臥位放射線撮影装置。
【請求項３】
前記撮影情報は、操作者の身長を含み、
前記連動判定部は、操作者の身長と連動解除高さとの関係を記載した連動解除高さテーブルを備え、
前記連動判定部は、入力された前記操作者の身長と、前記連動解除高さテーブルとから前記連動解除高さを算出し、前記天板高さが前記連動解除高さより低くなった場合に、前記連動解除の指示を出力することを特徴とする請求項１又は２に記載の臥位放射線撮影装置。
【請求項４】
前記撮像情報は撮影回数を含み、
前記連動判定部は、前記放射線源の照射回数をカウントし、前記照射回数が前記撮影回数と同じになった場合に、前記連動解除の指示を出力することを特徴とする請求項１〜３のいずれかに記載の臥位放射線撮影装置。
【請求項５】
前記連動解除の指示を受け、前記線源連動制御部は、前記線源移動機構を制御して、前記放射線源を初期位置まで移動させることを特徴とする請求項１〜４のいずれかに記載の臥位放射線撮影装置。
【請求項６】
前記初期位置とは、前記放射線源が、前記天板に重ならない位置であることを特徴とする請求項５に記載の臥位放射線撮影装置。
【請求項７】
さらに、前記撮影情報を予め記憶した情報サーバに接続され、
また、前記撮像情報を記憶する記憶部を備え、
前記操作入力部は、被写体識別情報及び操作者識別情報に基づいて、前記情報サーバに記憶された前記撮影情報を取得し、
前記記憶部は、取得された前記撮影情報を記憶し、必要に応じて出力することを特徴とする請求項１〜６のいずれかに記載の臥位放射線撮影装置。
【請求項８】
前記撮影情報は、被写体情報を含み、
前記被写体情報は、被写体の体厚、性別、年齢、診察履歴の少なくとも１つを含むことを特徴とする請求項７に記載の臥位放射線撮影装置。
【請求項９】
前記撮影情報は、撮影メニューを含み、
前記撮影メニューは、撮影部位、ＳＩＤ、撮影回数の少なくとも１つを含むことを特徴とする請求項７又は８に記載の臥位放射線撮影装置。
【請求項１０】
前記撮影情報は、操作者情報を含み、
前記操作者情報は、操作者の身長を含むことを特徴とする請求項７〜９のいずれかに記載の臥位放射線撮影装置。
【請求項１１】
前記診察履歴とは、過去の撮影情報を含むことを特徴とする請求項８〜１０のいずれかに記載の臥位放射線撮影装置。
【発明の詳細な説明】
【技術分野】
【０００１】
本発明は、被写体を載せる天板の位置（天板高さ）を調整可能な臥位放射線撮影装置に関するものである。
【背景技術】
【０００２】
従来、臥位放射線画像撮影において、撮影台である天板の位置と線源の位置とは、操作者である技師が、被写体の体厚や、撮影部位などに応じて、手動で調整を行っていた。
この場合、操作者は、天板及び線源の両方を移動させなければならず、これらの調整に非常に手間が掛かっていた。
【０００３】
以下に示す特許文献１には、被検者（被写体）の全身長尺撮影を可能とするために、放射線固体検出器（放射線検出器）と、放射線源と、天板との移動を、特に、天板及び放射線固体検出器については、水平方向の移動を、放射線源については、回動及び平行移動を可能としている。
【０００４】
また、以下に示す特許文献２には、Ｘ線源（放射線源）とＸ線検出器（放射線検出器）とがＣ型アームで接続され、Ｘ線撮影（放射線撮影）に応じて、Ｘ線源とＸ線検出器とが連動して移動するＸ線透視撮影装置の発明が記載されている。
【先行技術文献】
【特許文献】
【０００５】
【特許文献１】特開２００９−２３３１５８号公報
【特許文献２】特開２００１−１９０５４８号公報
【発明の概要】
【発明が解決しようとする課題】
【０００６】
特許文献１では、上述のとおり、天板及び放射線固体検出器の平面方向（前後左右方向）の移動は考慮されているが、操作者の操作のし易さについての課題は認識されておらず、放射線固体検出器、放射線源、及び天板の高さ方向（上下方向）の移動は考慮されていない。
【０００７】
また、例え天板と放射線源との高さ方向の移動が連動したとしても、操作者の体格（身長）によって、撮影しやすい天板高さは異なり、操作者の体格に応じた位置で被写体への指示・撮影ができなければ、天板と放射線源とが連動したとしても、操作者にとって不便に働く場合もある。
また、天板と線源とが常に連動していると、被写体を天板に乗せる場合などに不必要に線源位置が下がり、被写体が線源にぶつかり、線源が破損したり、被写体（例えば、患者）がケガをする可能性もある。
【０００８】
そして、特許文献２においても、操作者の体格（身長）に応じた天板高さと、天板及びＸ線源の連動・連動解除に関する記載は何ら開示も示唆もされていない。
【０００９】
本発明の目的は、手動で高さを調整可能な天板と、天板の高さに連動する放射線源とを備え、天板の高さが操作者の身長に応じた所定の高さになった場合に、その連動を解除することを特徴とする臥位放射線撮影装置を提供することにある。
【課題を解決するための手段】
【００１０】
上記課題を解決するために、本発明は、被写体に向けて放射線を照射する放射線源と、手動で高さの調整が可能であって、前記被写体を横たえるための天板と、前記天板の高さを検出する天板高さ検出部と、前記天板高さに連動して前記放射線源を移動させる線源移動機構と、前記天板と一体として移動する放射線検出器と、撮影情報及び撮影指示を入力する操作入力部と、前記撮影指示に基づいて、前記放射線源と前記放射線検出器とを制御して放射線撮影を行う撮影制御部と、前記放射線源の連動を解除するか否かを判定し、連動解除の指示を出力する連動判定部と、前記線源移動機構を制御し、前記連動解除の指示に基づいて、前記放射線源の連動を解除する線源連動制御部とを備え、前記連動判定部は、前記撮像情報と、前記天板高さとに基づいて前記連動解除の判定を行うことを特徴とする臥位放射線撮影装置を提供する。
【００１１】
また、前記撮像情報は、放射線源と放射線検出器との間の距離（ＳＩＤ）を含み、前記線源移動機構は、前記ＳＩＤを保つように前記放射線源を連動させることが好ましい。
【００１２】
また、前記撮影情報は、操作者の身長を含み、前記連動判定部は、操作者の身長と連動解除高さとの関係を記載した連動解除高さテーブルを備え、前記連動判定部は、入力された前記操作者の身長と、前記連動解除高さテーブルとから前記連動解除高さを算出し、前記天板高さが前記連動解除高さより低くなった場合に、前記連動解除の指示を出力することが好ましい。
【００１３】
また、前記撮像情報は撮影回数を含み、前記連動判定部は、前記放射線源の照射回数をカウントし、前記照射回数が前記撮影回数と同じになった場合に、前記連動解除の指示を出力することが好ましい。
【００１４】
また、前記連動解除の指示を受け、前記線源連動制御部は、前記線源移動機構を制御して、前記放射線源を初期位置まで移動させることが好ましい。
【００１５】
また、前記初期位置とは、前記放射線源が、前記天板に重ならない位置であることが好ましい。
【００１６】
さらに、前記撮影情報を予め記憶した情報サーバに接続され、また、前記撮像情報を記憶する記憶部を備え、前記操作入力部は、被写体識別情報及び操作者識別情報に基づいて、前記情報サーバに記憶された前記撮影情報を取得し、前記記憶部は、取得された前記撮影情報を記憶し、必要に応じて出力することが好ましい。
【００１７】
また、前記撮影情報は、被写体情報を含み、前記被写体情報は、被写体の体厚、性別、年齢、診察履歴の少なくとも１つを含むことが好ましい。
【００１８】
また、前記撮影情報は、撮影メニューを含み、前記撮影メニューは、撮影部位、ＳＩＤ、撮影回数の少なくとも１つを含むことが好ましい。
【００１９】
また、前記撮影情報は、操作者情報を含み、前記操作者情報は、操作者の身長を含むことが好ましい。
【００２０】
また、前記診察履歴とは、過去の撮影情報を含むことが好ましい。
【発明の効果】
【００２１】
本発明によれば、天板に連動して放射線源が移動するため、操作者が、天板の高さと放射線源の位置との両方を調整する必要がなく、また、天板の高さに対する放射線源の連動・非連動が操作者の身長に対応した所定高さに基づいて決まるため、操作者は被写体に姿勢等の指示を出しやすく、また、被写体が天板へ乗降する際、誤って放射線源を破損したり、被写体がケガをするのを防ぐことができる。
【図面の簡単な説明】
【００２２】
【図１】本発明に係る臥位放射線撮影装置の一実施形態を概念的に示す線図的模式図である。
【図２】本発明に係る臥位放射線撮影装置において、天板を所定位置まで下げて被写体を乗せる場合の説明図である。
【図３】本発明に係る臥位放射線撮影装置において、天板を移動し撮影位置を調整する場合の説明図である。
【図４】本発明に係る臥位放射線撮影装置において、天板を所定位置まで下げて被写体を降ろす場合の説明図である。
【発明を実施するための形態】
【００２３】
本発明に係る臥位放射線撮影装置を、添付の図面に示す好適実施形態に基づいて以下に詳細に説明する。
【００２４】
＜臥位放射線撮影装置の構成＞
図１は、本発明の臥位放射線撮影装置の構成を表す一実施形態の線図的模式図である。図１に示すとおり、本発明の臥位放射線撮影装置（以下、撮影装置という）１０は、被検者である被写体Ｐの放射線画像（診断画像）を撮影するため、放射線源（Ｘ線源）１２と、放射線源１２を移動させる線源移動機構１３と、被写体Ｐが載置され、手動で上下（鉛直方向、図１に示すｚ方向）に移動可能な天板１４と、天板高さ（天板位置）Ｈｔを検出する天板高さ検出部１６と、天板１４の下に設置された放射線検出器（例えば、ＦＰＤ（Flat Panel Detector））２０と、操作者（例えば、技師）により手動で天板高さＨｔの調整が可能なように設けられた天板移動機構２２と、各種放射線撮影の制御及び撮影された放射線画像の各種処理を行うコンソール２４と、操作者の操作指示を入力する操作入力部２６と、撮影され所定の画像処理が施された放射線画像を表示・出力する表示部（モニタ）３０及び出力部（プリンタ）３２とを備え、また、必要に応じて、後述する撮影情報（被写体情報４６、撮影メニュー４８、及び操作者情報５０等）を取得するため、ＲＩＳ（Radiology Information System：放射線科情報システム）２８などの情報ネットワークシステムに接続される。
【００２５】
放射線源１２は、放射線撮影の際に、後述する撮影制御部３４からの指示に基づいて、放射線を曝射するものであり、線源移動機構１３は、放射線源１２を支えるアーム１３ａとアーム１３ａが設置されたレール１３ｂとからなり、アーム１３ａによる放射線源１２の上下方向（鉛直方向、図１におけるｚ方向）の移動はもちろん、レール１３ｂを利用して放射線源１２を前後左右（水平方向、図１におけるｘ、ｙ方向）に移動させることができる。また、図示してはいないが、放射線源１２は、線源移動機構１３により、その曝射方向（曝射角度）を変更することもできる。
線源移動機構１３は、後述する線源連動制御部４０により、原則として、天板高さ（実際は、天板１４の下に設置されたＦＰＤ２０の高さ）に連動して、後述する撮像情報（被写体情報４６及び撮影メニュー４８）に基づいた放射線管焦点・受像面間距離（以下、ＳＩＤという）を維持するように制御される。
【００２６】
天板１４は、その上に被検者Ｐを臥位で載せることができる板状の部材であって、その下に天板移動機構２２を備え、手動で上下方向（鉛直方向、図１に示すｚ方向）に移動可能である。なお、天板１４は、上下方向の移動に加え、前後左右（水平方向、図１に示すｘ、ｙ方向）に移動可能であってもよい。
また、天板移動機構２２は、例えば、油圧ジャッキ及び空気ジャッキなどで構成されており、天板１４上に載置されている被検者Ｐの体重に関わらず、操作者により手動で天板１４の上下の移動が簡単に行えるものである。
【００２７】
天板高さ検出部１６は、前述の天板１４の上下の移動に応じて、床からの天板高さ（天板位置）Ｈｔを検出する。天板高さ検出部１６は、例えば、ポテンショメータなどで構成されてもよく、また、音波センサやレーザ等を利用する光学センサで構成されてもよい。検出された天板高さＨｔは、コンソール２４の後述する連動判定部３８へ出力される。
なお、天板高さ検出部１６は、天板１４の下面、実際は天板１４の下に設置されたＦＰＤ２０の上面の高さを検出するものである。放射線源１２とＦＰＤ２０との間の距離であるＳＩＤを維持することが、天板高さＨｔ検出の目的だからである。
【００２８】
ＦＰＤ２０は、アモルファスセレン等の光導電膜とＴＦＴ（Thin Film Transistor）等を用い、放射線の入射によって光導電膜が発した電子−正孔対（ｅ−ｈペア）を収集してＴＦＴによって電荷信号として読み出す、いわゆる直接方式のＦＰＤ、及び、「ＣｓＩ：Ｔｌ」などの放射線の入射によって発光（蛍光）する蛍光体で形成されたシンチレータ層とフォトダイオードとＴＦＴ等を用い、放射線の入射によるシンチレータ層の発光をフォトダイオードで光電変換して、ＴＦＴによって電気信号として読み出す、いわゆる間接方式のＦＰＤの、いずれでもよい。
【００２９】
ＦＰＤ２０は、被検者Ｐの体を透過した放射線を受け、この放射線を電気信号に変換することにより、被検者Ｐの放射線画像の画像データ（放射線データ）を得る。得られた放射線データは、撮影制御部３４からの指示により、コンソール２４のデータ処理部４２へ出力される。
また、ＦＰＤ２０は、図示しない水平移動手段を備え、放射線源１２の向きに応じて、水平方向（前後左右方向、つまり、図１に示すｘ、ｙ方向）に平行移動してもよい。
なお、ＦＰＤ２０からの放射線データの出力、ＦＰＤ２０の水平方向の移動は、後述する撮影制御部３４を通じた操作入力部２６からの指示により行われる。
【００３０】
なお、本発明の放射線検出器として、上述のとおり、ＦＰＤ２０を例として説明しているが、本発明の放射線検出器はＦＰＤに限定される必要はなく、ＣＲ（Computed Radiography：コンピュータ放射線撮影）のＩＰ（Imaging Plate：イメージングプレート）や、放射線フィルムカセッテ等、他の放射線検出器を用いてよいのは当然である。
【００３１】
＜コンソールの構成＞
コンソール２４は、図１に示すように、ＦＰＤ２０によって検出された放射線データをデータ処理するデータ処理部４２と、データ処理された画像データに画像補正などのデジタル画像処理をする画像処理部４４と、放射線源１２からの放射線の照射とＦＰＤ２０における放射線画像データの読み出しとを制御する撮影制御部３４と、放射線画像データを記憶し、また、操作入力部２６に入力された被写体識別情報（被写体ＩＤ）及び操作者識別情報（操作者ＩＤ、操作者ＩＤ）に基づいて、ＲＩＳ２８から取得した被写体情報４６、撮影メニュー４８、及び操作者情報５０等の撮像情報を記憶するメモリ３６と、放射線源１２と天板１４との連動の解除を判定する連動判定部３８と、天板高さＨｔに応じて線源位置を制御する線源連動制御部４０とを備える。
なお、コンソール２４は、具体的には、ＣＰＵ（中央処理装置）、ＲＡＭ（主記憶装置）、ハードディスク等で構成されるコンピュータによって構成され、実際には、上述のＣＰＵ（中央処理装置）、ＲＡＭ（主記憶装置）、ハードディスク等が連動して、コンソール２４内の上述の撮影制御部３４、メモリ３６、連動判定部３８、線源制御部４０、データ処理部４２、及び画像処理部４４の各部を構成する。
【００３２】
データ処理部４２は、ＦＰＤ２０の出力信号（放射線画像の放射線データ）に、Ａ／Ｄ変換やｌｏｇ変換等の処理を施して、いわゆる放射線画像の画像データに変換するものであり、画像処理部４４は、表示部３０における画像表示、出力部３２によるプリント（ハードコピー）出力、及びメモリ３６への出力や図示しない画像サーバ（ＰＡＣＳ等）や記憶媒体への出力に対応する放射線画像データを出力するためのものである。
【００３３】
撮影制御部３４は、操作入力部２６からの指示により、放射線源１２への放射線の曝射指示と、放射線曝射後のＦＰＤ２０からの放射線データの読み取り指示を行うものである。
また、撮影制御部３４は、撮影メニューに基づく撮影部位や、被写体情報に基づく被写体の体厚等に基づいて、放射線源１２からの放射線の曝射時間及び曝射範囲を調整することで、放射線の曝射量を調整する。
【００３４】
メモリ３６は、操作入力部２６からの指示に基づいてＲＩＳ２８に記憶された、被写体情報（例えば、被写体の体厚、性別、年齢、診察履歴等）４６、撮影メニュー（例えば、撮影部位、ＳＩＤ、撮影回数等）４８、及び操作者情報（例えば、身長等）５０等の撮影情報を取得し、また、操作入力部２６から直接入力された撮影情報を取得し、それら撮像情報を記憶して、必要に応じて、詳細を後述する連動判定部３８及び線源連動制御部４０へ、これら撮影情報を出力する。
また、メモリ３６は、画像処理部４４から出力された放射線画像データを記憶し、操作入力部２６からの指示により必要に応じて、表示部３０、出力部３２、及び図示しない画像サーバ等へ出力する。
【００３５】
連動判定部３８は、連動解除高さテーブル３９を備え、メモリ３６に記憶された操作者の身長の情報に基づいて、連動解除高さＨを算出する。連動解除高さテーブル３９は、例えば、操作者の身長が１７５〜１８５ｃｍである場合には、連動解除高さＨを７０ｃｍ、操作者の身長が１６５〜１７５ｃｍである場合には、連動解除高さＨを６０ｃｍ、操作者の身長が１５５〜１６５ｃｍである場合には、連動解除高さＨを５０ｃｍとする等のテーブルでもよく、また、単純に、（操作者の身長）−１１０（ｃｍ）を連動解除高さＨとするものでもよく、また、（操作者の身長）×３０％を連動解除高さＨとするものでもよい。
そして、連動判定部３８は、天板高さ検出部１６によって検出された天板高さＨｔを取得し、上述のとおり算出された連動解除高さＨと比較することで、放射線源１２と天板１４との連動を解除するか否かを判定する。連動を解除すると判定した場合、連動解除の指示を後述する線源連動制御部４０へ出力する。
【００３６】
線源連動制御部４０は、前述の連動判定部３８により連動解除の指示が出力されていない場合には、メモリ３６に記憶されたＳＩＤを取得して、天板１４の天板高さ（実際は、ＦＰＤ２０の高さ）に対して、原則として前述のＳＩＤを保つように線源移動機構１３を制御して、放射線源１２の位置を制御する。
また、線源連動制御部４０は、前述の連動判定部３８より連動解除の指示を受けた場合には、天板１４と放射線源１２との連動を解除し、放射線源１２を初期位置Ｏまで移動させる。なお、初期位置Ｏとは、被写体Ｐが天板１４へ昇る際、又は天板１４から降りる際に、放射線源１２が邪魔にならない、放射線源１２と天板１４とが重ならない位置である。
以上が、図１に示すコンソール２４の構成である。
【００３７】
操作入力部２６は、前述のとおり、コンソール２４に対して各種操作入力を行い、コンソール２４を通じて、前述の放射線源１２の曝射指示、ＦＰＤ２０の読み取り指示、後述するＲＩＳ２８からの情報の取得指示、表示部３０及び出力部３２等へ各種指示を行う。
また、操作入力部２６は、具体的には、キーボード及びマウスなどの入力装置や、ＩＣカードリーダやバーコードリーダ等の読み取り装置を備えてもよい。
【００３８】
操作者が、操作入力部２６を通じて操作者自身のＩＤや、被写体ＰのＩＤを入力すると、操作入力部２６は、これら操作者自身のＩＤや被写体ＰのＩＤに基づいて、後述するＲＩＳ２８に記憶された、被写体情報（例えば、被写体の体厚、性別、年齢、診察履歴等）４６、撮影メニュー（例えば、撮影部位、ＳＩＤ、撮影回数等）４８、操作者情報（例えば、身長等）５０等の撮影情報を取得し、コンソール２４のメモリ３６へ記憶させる。
また、操作入力部２６は、コンソール２４の画像処理部４４によって処理された放射線画像の画像データを表示部３０に表示し、出力部３２で出力し、また、メモリ３６に記憶させ、必要に応じて、撮影情報及び診断情報と共に、ＲＩＳ２８や、図示しない画像サーバ等へ出力する。
【００３９】
ＲＩＳ２８は、放射線科で用いられる情報ネットワークシステムであり、放射線撮影など予約から検査結果の管理までを行うことのでき、上述の被写体情報４６や、撮影メニュー４８、操作者情報５０などの撮影情報及び診断情報を保存し、必要に応じて出力する情報データベースシステムである。
上述のとおり、ＲＩＳ２８は、操作入力部２６からの指示により、上述の撮影情報を出力する。
【００４０】
表示部３０は、ＦＰＤ２０で取得された放射線画像を表示する放射線画像表示用の液晶モニタ等であり、また出力部３２は、放射線画像を紙に印刷し、また、放射線画像線用のフィルムに印刷するプリンタである。操作入力部２６からの指示により、必要に応じて放射線画像を表示・出力する。
【００４１】
以上が、本発明に係る臥位放射線画像撮影装置１０の一実施形態の構成である。上述の構成は一例であり、各構成は上述の例に限定されず他の種々の公知の技術を用いることができる。
【００４２】
＜臥位放射線撮影装置の動作＞
次に、本発明の臥位放射線撮影装置１０において、放射線撮影を行う場合の動作について説明する。
【００４３】
まず始めに、操作者は、操作入力部２６に、操作者自身のＩＤ及び被検者たる被写体ＰのＩＤを入力する。
操作入力部２６は、操作者のＩＤと被写体ＰのＩＤとに基づいて、ＲＩＳ２８に問い合わせを行う。ＲＩＳ２８は、これらＩＤに基づいて、操作者情報（例えば、操作者の身長等）、被写体情報（例えば、被写体Ｐの体厚、年齢、性別、診断履歴等）、及び撮影メニュー（例えば、撮影部位、ＳＩＤ、撮影回数等）を撮影情報としてコンソール２４に出力する。コンソール２４は、メモリ３６においてこれら撮影情報を記憶する。
なお、出力され、記憶された撮影情報は、操作者の確認のために、表示部３０に表示される。操作者は、表示された撮影情報を被写体Ｐに確認してもよい。誤診を防ぐためである。
【００４４】
メモリ３６に記憶された、撮影情報のうち、上述のＳＩＤは線源連動制御部４０へ出力され、また、操作者の身長及び撮影回数は、連動判定部３８へ出力される。
連動判定部３８においては、取得した操作者の身長と連動解除高さテーブル３９とから連動解除高さＨが算出されて上述の撮影回数と共に記憶され、また、線源連動制御部４０では、上述のＳＩＤが記憶される。
【００４５】
次に、放射線撮影に際して、被写体Ｐを天板１４上に乗せるため、図２に示すように、操作者は、被写体Ｐが天板１４の上に乗りやすいように、天板１４の天板高さＨｔを可能な限り手動で下げる。
【００４６】
天板１４の天板高さＨｔの情報は、天板高さ検出部１６により、常に連動判定部３８へ出力されているため、天板高さＨｔが、操作者の身長に応じて算出された連動解除高さＨより低くなると、連動判定部３８は、それに基づいて、放射線源１２と天板１４との連動を解除するように、その旨の指示を線源連動制御部４０へ出力する。
【００４７】
上述の連動解除の指示に基づいて、線源連動制御部４０は、線源位置移動機構１３を制御し、放射線源１２を、被写体Ｐが天板１４に乗ったとしてもぶつかる危険の少ない初期位置Ｏまで移動させる。
【００４８】
次に、操作者は、上述のとおり天板１４を下げた状態で被写体Ｐを天板１４上に乗せ、例えば、仰向けに寝かせる。図３に示すように、操作者はこの状態で天板１４を手動で上げて、天板高さＨｔを連動解除高さＨより高くする。
【００４９】
天板高さＨｔが、操作者の身長に応じて算出された連動解除高さＨより高くなると、連動判定部３８は、それに基づいて、放射線源１２と天板１４とが連動するように、その旨の指示を線源連動制御部４０へ出力する。
【００５０】
上述の指示に基づいて、線源連動制御部４０は、上述のＳＩＤを維持するように、天板高さ検出部１６によって検出される天板高さＨｔに基づいて、線源位置調整機構１３を制御し、放射線源１２の位置を移動させる。よって、放射線源１２は、図３に示すように、ＳＩＤを保つにように、天板１４に連動して動くようになる。
【００５１】
操作者は、被写体Ｐに最も姿勢の指示を出しやすい高さまで天板１４を上げ、被写体Ｐに各種姿勢指示を出し、また、場合によっては、放射線撮影し易いように、被写体Ｐの姿勢を整える。なお、被写体Ｐの姿勢維持には、何らかの治具を用いても良い。
これにより、操作者は、放射線源１２の位置（つまり、ＳＩＤ）を気にすることなく、被写体Ｐの姿勢を最も調整し易い高さで指示を出し、また、放射線撮影することができる。
【００５２】
操作者は、操作入力２６により、撮影制御部３４を通じて放射線撮影の指示を行う。ＦＰＤ２０によって取得された放射線データは、コンソール２４のデータ処理部４２に出力され、放射線画像の画像データに変換されて、画像処理部４４へ出力される。
画像処理部４４では、所定の画像処理を行い、モニタ等で表示可能となった画像データを表示部３０に表示し、出力部３２で出力し、また、必要に応じてメモリ３６で記憶する。なお、予めメモリ３６に記憶された撮像情報と関連付けられ記憶され、図示しない画像サーバ等に記憶されてもよい。
【００５３】
全ての放射線撮影が終わると、操作者は、被写体Ｐが天板１４から降りやすいように、天板１４を手動で移動させ、天板高さＨｔを可能な限り低くする。
この天板１４の移動により、天板高さＨｔが、連動解除高さＨよりも低くなると、連動判定部３８は、前述と同様、線源連動制御部４０へ連動解除の指示を出し、線源連動制御部４０は、線源移動機構１３を制御することで、放射線源１２と天板１４との連動を解除し、放射線源１２を初期位置Ｏへ移動する。
【００５４】
これにより、被写体Ｐは、起き上がって天板１４から降りる際に、放射線源１２とぶつかる心配がなく、放射線源１２の破損の怖れも低くなる。
以上が、本発明の臥位放射線撮影装置１０の動作である。
【００５５】
なお、上述の放射線源１２と天板１４との連動は、操作者が天板１４の天板高さＨｔを連動解除高さＨより低くしなくとも、予め決定された撮影回数に応じてその連動を解除してもよい。
【００５６】
例えば、撮影メニュー及び撮影部位などによって、予め撮影枚数が決まっている場合には、連動判定部３８は、メモリ３６に記憶された、予定された撮影回数を取得し、また、操作入力部２６を通じて操作者による実際の放射線曝射の回数を取得する。
連動判定部３８は、放射線曝射の回数が、予定された撮影回数だけ行われたことを判定し、線源連動制御部４０へ連動解除の指示を出す。前述と同様、放射線源１２と天板１４との連動が解除され、放射線源１２が初期位置Ｏへ移動される。
【００５７】
以上、本発明の臥位放射線撮影装置について詳細に説明したが、本発明は、上記実施形態に限定されるものではなく、本発明の要旨を逸脱しない範囲において、各種の改良や変更を行ってもよい。
【符号の説明】
【００５８】
１０  臥位放射線撮影装置
１２  放射線源
１３  線源移動機構
１４  天板
１６  天板高さ検出部
２０  放射線検出器（ＦＰＤ）
２２  天板移動機構
２４  コンソール
２６  操作入力部
２８  放射線科情報システム（ＲＩＳ）
３０  表示部（モニタ）
３２  出力部（プリンタ）
３４  撮影制御部
３６  メモリ
３８  連動判定部
３９  連動解除高さテーブル
４０  線源連動制御部
４２  データ処理部
４４  画像処理部
４６  被写体情報
４８  撮影メニュー
５０  操作者情報
【図１】
2013017687.tif 000003
【図２】
2013017687.tif 000004
【図３】
2013017687.tif 000005
【図４】
2013017687.tif 000006